(57)【要約】【課題】ゴム試験片等の試験片の装着や取り外し作業における作業性や安全性を向上させるとともに、試験精度を改善した試験片の装着方法、試験片挿入装置および試験機を提供する【解決手段】引張コイルばね３を伸長してコイル線間に間隔を開け、該コイル線間に試験片１３を挿入した後、伸長を解除することにより試験片１３を引張コイルばね３に把持し、次いで試験片１３を把持した引張コイルばね３に、試験機に取付け可能な部位を設けた通し棒１５を挿通し、これを前記通し棒１５の取付可能な部位を介して試験機に装着することを特徴とする試験片の装着方法。【選択図】    図２
2004317144.tif 000002
【特許請求の範囲】
【請求項１】
コイル線間に試験片を把持した引張コイルばねを試験機に装着する試験片の装着方法。
【請求項２】
コイル線間に試験片を把持した引張コイルばねに、通し棒を挿通した後、該通し棒を介して試験機に装着する試験片の装着方法。
【請求項３】
試験片を引張コイルばねに把持するに際し、引張コイルばねのコイル線内側に補助棒を挿入し、該補助棒に沿って試験片の位置揃えを行う請求項１又は２に記載の試験片の装着方法。
【請求項４】
引張コイルばねの伸長とその伸長を解除する伸長解除手段を有する試験片挿入装置。
【請求項５】
前記伸長解除手段がエアシリンダーを有する請求項４に記載の試験片挿入装置。
【請求項６】
試験片の位置を揃えるための補助棒を備えた請求項４又は５に記載の試験片挿入装置。
【請求項７】
コイル線間に試験片を把持する引張コイルばねを有する試験機。
【請求項８】
コイル線間に試験片を把持した引張コイルばねを試験機に装着するための通し棒を備えた請求項７に記載の試験機。
【請求項９】
前記試験機が老化試験機である請求項７又は８に記載の試験機。
【発明の詳細な説明】
【０００１】
【発明の属する技術分野】
本発明は、試験片の装着方法、試験片挿入装置および試験機に関し、更に詳しくは、作業性や安全性に優れた試験片の装着方法、試験片挿入装置および試験機に関する。
【０００２】
【従来の技術】
ゴム試験片の老化試験方法は、日本工業規格（ＪＩＳ）により規定されているが、ゴム試験片の装着手段については、特に規定されておらず測定者に委ねられていた（非特許文献１参照）。
【０００３】
例えば、ゴム試験片を老化試験機に装着するには、単線ワイヤ棒を準備し、老化試験機に装着できるように単線ワイヤ棒の片端部をコの字状に折り曲げてから、他端をグラインダー等で尖らせ、図４に示すように、該単線ワイヤ棒１６に試験片１３を１個づつ接触させないよう所定の間隔を開けて通した後、これを老化試験機のサンプル掛け部に装着していた。そして、老化試験後、試験片１３を取り付けた単線ワイヤ棒１６を老化試験機から取り出し、試験片１３を重ねてペンチ等を用いて力を加えて引き抜いていた。このようにして取り外された試験片１３は、その後引張試験、引裂試験等の各種試験に供されていた。
【０００４】
こうしたことから、装着や取り外し作業に手間が掛かることや、単線ワイヤ棒に試験片を通す際尖った単線ワイヤ棒の先端で指を刺す等、作業性や安全性に問題があった。また、単線ワイヤ棒に試験片を通す際、斜めに通すと試験片同士が接触する等試験精度上の問題もあった。
【０００５】
【非特許文献１】
「ＪＩＳハンドブック  ２８ゴム  ＪＩＳ  Ｋ  ６２５７−１９９３加硫ゴムの老化試験方法」，財団法人日本規格協会，２００２年１月３１日，Ｐ４７０−４７５
【０００６】
【発明が解決しようとする課題】
本発明は、上記問題を解決すべくなされたものであり、試験片の装着や取り外し作業における作業性や安全性を向上させるとともに、試験精度を改善した試験片の装着方法、試験片挿入装置および試験機を提供することを目的とする。
【０００７】
【課題を解決するための手段】
上記目的を達成するため、本発明は、コイル線間に試験片を把持した引張コイルばねを試験機に装着する試験片の装着方法を提供する。
【０００８】
また、本発明は、引張コイルばねの伸長とその伸長を解除する伸長解除手段を有する試験片挿入装置を提供する。
【０００９】
更に、本発明は、コイル線間に試験片を把持する引張コイルばねを有する試験機を提供する。
【００１０】
【発明の実施の形態】
以下、本発明について、添付の図面を参照しながら詳細に説明する。
【００１１】
図１は、本発明の試験片挿入装置の一例を示し、この試験片挿入装置は、エアシリンダー装置１と装着台２等とを備えている。エアシリンダー装置１は、引張コイルばね３に試験片を挿入する際の引張コイルばね３の伸長並びに挿入された試験片を引張コイルばね３に把持させるための伸長解除を行う伸長解除手段である。装着台２は、該エアシリンダー装置１を載置固定するとともに試験片を引張コイルばね３に挿入する作業を行う台である。
【００１２】
前記引張コイルばね３は、その両端部にフック４を有しており、材質は特に限定されないが、バネ弾性や耐熱性等の点から金属であるのが好ましい。
【００１３】
前記エアシリンダー装置１は、エアシリンダー５と該エアシリンダー５の開閉を行うフットスイッチ６とエアをエアシリンダー５へ送るエア配線７とを有している。前記エアシリンダー５の水平方向に延在するシリンダーロッド８の先端は、連結部材９を介して、シリンダー５先端部の支持部材１０を貫通し移動自在に延在する支持ロッド１１の先端と連結している。これらシリンダーロッド８および支持ロッド１１は、エアシリンダー５の開閉により矢印方向に伸縮動作を行い、引張りコイルばね３の伸長とその解除を行う。この時、支持ロッド１１は、シリンダーロッド８の伸縮動作を支える役割を果たす。エアシリンダー５の側壁と前記連結部材９には、引張りコイルばね３のフック４を掛ける取っ手１２が配設されている。エアシリンダー５は、通常コイル線間間隔を２ｍｍ〜３ｍｍに開ける必要から、伸長率１２０％以上の能力を持つものが好ましい。本発明の伸長解除手段としては、エアシリンダー装置１を一例として示したが、これに限定されるものではなく、モータ装置などにより行ってもよく、また手動で行ってもよい。
【００１４】
図２は本発明の引張コイルばね３に試験片１３を把持した状態を示す説明図であるが、以下、装着方法を順を追って説明する。まず、引張コイルばね３の両端部に位置するフック４をエアシリンダー５の側壁および連結部材９に配設された取っ手１２に掛けた後、フットスイッチ６を操作してエアシリンダー５により引張コイルばね３を伸長して、コイル線間を試験片１３が挿入できる程度の間隔に開ける。次に、引張コイルばね３のコイル線内側に補助棒１４を挿入してから、試験片１３の端部を補助棒１４の位置で揃えながら、コイル線間に順次試験片１３を挿入していく。本発明の試験片挿入装置では、このように、容易に試験片１３の把持長さを揃えることが出来る補助棒１４を備えるのが好ましい。この補助棒１４は、前述の試験片１３の位置揃えの役割のほかに、試験片１３を把持した引張コイルばね３の反りを抑える役割を持っている。補助棒１４の径は、特に限定されるものではないが、前述したように反りを抑える役割をもつことから、曲がり難さを保持できる径であることが望ましい。材質についても特に限定されものではなく、金属、樹脂等使用可能である。
【００１５】
試験片１３の挿入が完了したら、エアシリンダー５を解除して引張コイルばね３を戻し、その戻り力で試験片１３を把持する。次いで、試験片１３を把持した引張コイルばね３のコイル線内側に、予め一方の端部をコの字状に折り曲げた通し棒１５（図３を参照）を挿通した後、挿入してあった補助棒１４を抜き取り、フック４を取っ手１２から外して、試験片１３の引張コイルばね３への取り付けを完了する。図３は、この取り付けを完了した状態を示す。取り付けを完了したら、試験片１３を把持した引張コイルばね３に挿通した通し棒１５のコの字状の折り曲げ部位を介して図示しない試験機のサンプル掛け部に装着する。該通し棒１５の径および材質は、特に限定されるものではないが耐熱性や曲がり難さを有するものであればよく、従って材質としては、金属、樹脂等が使用可能であり、径は材質特性に合わせて適宜選択すればよい。なお、上述の補助棒１４および通し棒１５は兼用でもよい。
【００１６】
所定の試験を終えたら試験機から取り出し、通し棒１５を抜いた後、再び引張コイルばね３のフック４を取っ手１２に掛け、エアシリンダー５により引張コイルばね３を伸長してコイル線間を開き、試験片１３の把持を解いて試験片１３を取り外す。そして、老化した試験片１３は、引張試験、引裂試験等の各種試験に供される。
【００１７】
以上のように、エアシリンダー５により引張コイルばね３のコイル線間の伸縮を行うことで、試験片１３の挿入、把持および取り外しが容易に行えるので、従来行っていた試験片１３を１個づつ単線ワイヤ棒１６に通す必要が無く、また、試験後の試験片１３を重ねてペンチ等を用いて力を加えて引抜く必要が無いので、試験片１３の装着や取り外しの作業性が向上するとともに、ワイヤの尖った先端で指を刺す等の問題も無く安全性も向上する。
【００１８】
更に、引張コイルばね３のコイル線間で試験片１３を把持するので、試験片１３を均一な間隔、方向に把持できるので、試験片同士の接触も抑えられ試験精度の改善を図ることができる。
【００１９】
本発明における試験片としては、特に限定されるものではなく、ゴムのほか各種樹脂等を挙げることができる。本発明の試験機としては、ギヤー式老化試験機又はこれに準じる老化試験機のみならず、耐油試験機などを挙げることができる。
【００２０】
【発明の効果】
以上説明したように、本発明の試験片の装着方法、試験片挿入装置および試験機によれば、エアシリンダーにより引張コイルばねのコイル線間の伸縮を行うことで、試験片の挿入、把持および取り外しが容易に行えるので、試験片の装着や取り外し作業における作業性や安全性を向上させるとともに、試験精度を改善することができる。
【図面の簡単な説明】
【図１】本発明の一実施例を示す引張コイルばねをエアシリンダー装置に掛け、伸長した状態を示す試験片挿入装置の概略説明図である。
【図２】本発明の試験片挿入装置により、引張コイルばねに試験片を把持した状態を示す説明図である。
【図３】本発明の試験片が引張りコイルばねに把持され、更に引張コイルばねに通し棒が挿通された状態を示す説明図である。
【図４】従来の単線ワイヤ棒に試験片が取付けられた状態を示す説明図である。
【符号の説明】
１  エアシリンダー装置
２  装着台
３  引張コイルばね
４  フック
５  エアシリンダー
６  フットスイッチ
７  エア配線
８    シリンダーロッド
９    連結部材
１０  支持部材
１１  支持ロッド
１２  取っ手
１３  試験片
１４  補助棒
１５  通し棒
１６  単線ワイヤ棒
【図１】
2004317144.tif 000003
【図２】
2004317144.tif 000004
【図３】
2004317144.tif 000005
【図４】
2004317144.tif 000006